(57)【要約】【課題】誤ることなく容易に内線番号を割り当てる。【解決手段】内線番号変換モジュールは、内線番号ｉに所定のヘッダ「ＩＮ４Ｓ」を付加して内線番号ｉをスカイプ名ＩＮ４Ｓｉに変換し、次いでスカイプのコンタクトリストからスカイプ名ＩＮ４Ｓｉを検索し、これに対応したスカイプ表示名を取得する（Ｓ１）。このスカイプ表示名を表示装置２１に表示させる（Ｓ２）。ユーザが、入力装置２０上の発信ボタンを押下すると（Ｓ３）、着信側識別コードであるＩＮ４Ｓｉを含む接続要求を、スーパーノード宛に送信する。スーパーノードはこれに応答して、テーブルを参照しスカイプ名ＩＮ４ＳｉをＩＰアドレスに変換する。内線端末装置１０１Ｃは、このスーパーノードによる呼制御の援助を受けて、着信側端末２０１Ｃとの間で直接又はスーパーノードを介し、音声パケットの送受信を行う（Ｓ４）。【選択図】図１
2008153759.tif 000002
【特許請求の範囲】
【請求項１】
ＩＰネットワーク上で、スーパーノードによる呼制御の援助を受け、通話先端末との間で音声パケットを送受信する内線端末装置において、
入力手段と、
該入力手段から入力された内線番号を、規則に基づいて通話先スカイプ名に変換し、発信の際に該通話先スカイプ名を含む接続要求を該スーパーノード宛に送信する制御手段と、
を有することを特徴とする内線端末装置。
【請求項２】
該内線番号は、該通話先スカイプ名の下位部に等しいことを特徴とする請求項１に記載の内線端末装置。
【請求項３】
複数の、請求項２に記載の内線端末装置と、
該複数の内線端末装置が有線又は無線により結合されるルータと、
を有することを特徴とする内線電話システム。
【請求項４】
ＩＰネットワーク上で、スーパーノードによる呼制御の援助を受け、着側端末との間で音声パケットを送受信する内線端末装置の記憶装置に格納される内線端末装置用プログラムにおいて、
プロセッサに対し、入力手段から入力された内線番号を、規則に基づいて通話先スカイプ名に変換させ、発信の際に該通話先スカイプ名を含む接続要求をスーパーノード宛に送信させることを特徴とする内線端末装置用プログラム。
【発明の詳細な説明】
【技術分野】
【０００１】
本発明は、内線端末装置及びこれを用いた内線電話システム並びに内線端末装置用プログラムに係り、特に、ルータを介しＩＰネットワークに結合され、該ＩＰネットワーク上で、通話先リストを管理するスーパーノードの呼制御による援助を受けて、音声パケットを通話先端末との間で送受信する内線端末装置及びこれを用いた内線電話システム並びに内線端末装置用プログラムに関する。
【背景技術】
【０００２】
構内交換機を用いた内線電話システムを、社内ＬＡＮを用いたＩＰ内線電話システムに置き換えることにより、ランニングコストを削減できるとともに、コンピュータ装置と電話機の配線をＬＡＮケーブルで統一することができる。
【０００３】
各内線電話には、構内でユニークな内線番号を割り当てる必要がある。
【０００４】
下記特許文献１には、構内のＳＩＰサーバと連携してＩＰ内線電話システムの全内線番号を自動割り当てする構成が開示されている。
【特許文献１】特開２００６−１８０４１５号公報
【発明の開示】
【発明が解決しようとする課題】
【０００５】
しかしながら、構内にＳＩＰサーバのような呼制御サーバを配置する必要がある。また、呼制御サーバに対する内線番号割当要求順に内線番号をインクリメントして割り当てるので、割当要求順を誤ると、配置に応じた内線番号を割り当てることができない。
【０００６】
本発明の目的は、このような問題点に鑑み、誤ることなく容易に内線番号を割り当てることができるとともに、構内に呼制御サーバを配置する必要がない内線端末装置及びこれを用いた内線電話システム並びに内線端末装置用プログラムを提供することにある。
【課題を解決するための手段】
【０００７】
本発明の一態様では、ＩＰネットワーク上で、スーパーノードによる呼制御の援助を受け、通話先端末との間で音声パケットを送受信する内線端末装置において、
入力手段と、
該入力手段から入力された内線番号を、規則に基づいて通話先スカイプ名（「Skype」は登録商標）に変換し、発信の際に該通話先スカイプ名を含む接続要求を該スーパーノード宛に送信する制御手段とを有する。
【発明の効果】
【０００８】
上記態様の構成によれば、入力された内線番号が規則に基づいて通話先スカイプ名に自動変換されるので、誤ることなく容易に内線番号を割り当てることができるとともに、構内に呼制御サーバを配置する必要がない。
【０００９】
本発明の他の目的、構成及び効果は以下の説明から明らかになる。
【実施例１】
【００１０】
図４は、本発明の実施例１で用いられる内線端末装置１００Ｃのハードウエア概略構成を示すブロック図である。
【００１１】
この内線端末装置１００Ｃは、コンピュータ本体１０に入力装置２０及び表示装置２１が結合された一般的なコンピュータシステムである。コンピュータ本体１０では、ＣＰＵ１１に、インターフェイス１２を介してメモリ１３、ＨＤＤ１４、ＮＩＣ１５及びＣＯＤＥＣ１６が結合されている。このＣＯＤＥＣ１６には、マイク１７及びスピーカ１８が結合されている。図４では簡単化のために、複数のインターフェイスを１つのインターフェイス１２で表している。このインターフェイス１２には、上記入力装置２０及び表示装置２１も結合されている。
【００１２】
メモリ１３は、主記憶用である。ＨＤＤ１４には、スカイプ（Skype Technologies社が開発・公開している音声通話ソフト）と、スカイプに対する内線番号変換用プラグインモジュールとが格納されている。ＮＩＣ１５は、不図示のハブを介してルータに結合される。
【００１３】
ＣＯＤＥＣ１６は、マイク１７から入力されたアナログ音声信号を符号化してインターフェイス１２に供給し、インターフェイス１２から供給される音声データを復号してアナログ化し、ローパスフィルタを介してスピーカ１８に供給する。
【００１４】
ＣＰＵ１１は、インターフェイス１２からの音声データを一旦、メモリ１３に格納した後、ＩＰパケット化し、これを、インターフェイス１２を介してＮＩＣ１５に供給する。ＮＩＣ１５はこのＩＰパケットに宛先MACアドレスと送信元MACアドレス等を付けてイーサネットフレーム（「イーサネット」は登録商標）にし、伝送路に送信する。ＣＰＵ１１はまた、ＮＩＣ１５からのＩＰパケットを一旦、メモリ１３に格納した後、分解、連結して元の音声データを再構成し、これをＣＯＤＥＣ１２に供給する。制御部ＣＰＵ１１のメモリには、後述の図１の処理を行う、本発明の機能を追加するために拡張されたスカイププログラムが格納されている。
【００１５】
図３は、ＩＰネットワーク上のノード結合図である。
【００１６】
ある企業の本社において、内線端末装置１００Ｃ〜１２８Ｃがハブを介し互いに結合されてＬＡＮが構成され、これがルータ３０を介してＩＰネットワーク４０に結合されている。同様に、この本社の支社において、内線端末装置２００Ｃ〜２３７Ｃがハブを介し互いに結合されてＬＡＮが構成され、これがルータ３１を介してＩＰネットワーク４０に結合されている。
【００１７】
また、ハンドヘルド型ワイヤレス内線端末装置１０１Ｈが電波を介し、ホテル又は自宅等に設置された無線ＬＡＮルータ３２と結合され、無線ＬＡＮルータ３２がＩＰネットワーク４０に結合されている。
【００１８】
内線端末装置１０１Ｃ〜１２８Ｃ及び２００Ｃ〜２３７Ｃはいずれも、図４の内線端末装置１００Ｃと同一構成である。
【００１９】
内線端末装置１００Ｃ〜１２８Ｃにはそれぞれ、内線番号１００〜１２８が割り当てられ、内線端末装置２００Ｃ〜２３７Ｃにはそれぞれ、内線番号２００〜２３７が割り当てられている。図２に示すように、内線とスカイプ名とは、規則的に対応している。この場合、スカイプ名の上位４バイト（半角４文字）が共通であり、下位３バイトが内線番号に等しくなっている。このような対応関係を確保するために、スカイプテクノロジー社と包括契約して、内線用スカイプ名を一括取得する。
【００２０】
図１は、内線番号変換モジュールがプラグインされたスカイプの概略フローチャートであり、内線番号入力から発信までの処理を示す。以下、カッコ内は図中のステップ識別番号を示す。
【００２１】
（Ｓ０）例えば、内線番号１０１のユーザが、入力装置２０を操作して内線番号ｉ＝２０１を入力する。
【００２２】
（Ｓ１）内線番号変換モジュールは、内線番号ｉに所定のヘッダ「ＩＮ４Ｓ」を付加して内線番号ｉをスカイプ名ＩＮ４Ｓｉに変換し、次いでスカイプのコンタクトリストからスカイプ名ＩＮ４Ｓｉ、前記の場合ＩＮ４Ｓ２０１を検索する。
【００２３】
（Ｓ２）このスカイプ名ＩＮ４Ｓｉに対応した内線番号ｉを表示装置２１に表示させる。
【００２４】
（Ｓ３）ユーザが、入力装置２０上の発信ボタンを押下すると、ステップＳ４へ進む。
【００２５】
（Ｓ４）着信側識別コードであるＩＮ４Ｓｉを含む接続要求を、スーパーノード宛に送信する。スーパ-ノードはこれに応答して、スカイプ名とＩＰアドレスとポート番号とを対応させたテーブルを参照し、スカイプ名ＩＮ４ＳｉをＩＰアドレスに変換する。内線端末装置１０１Ｃは、このスーパーノードによる呼制御の援助を受けて、着信側端末２０１Ｃとの間で直接又はスーパーノードを介し、音声パケットの送受信を行う。
【００２６】
本実施例１によれば、入力された内線番号が規則に基づいて通話先スカイプ名に自動変換されるので、誤ることなく容易に内線番号を割り当てることができるとともに、構内に呼制御サーバを配置する必要がないという効果を奏する。
【００２７】
図３において、内線端末装置１０１Ｃとハンドヘルド型ワイヤレス内線端末装置１０１Ｈのユーザは同一であり、この端末装置１０１Ｈには、端末装置１０１Ｃと同じ内線番号１０１が設定され、且つ、図１の処理を行うプログラムがインストールされている。このユーザは、出張先、ホテル又は自宅等でハンドヘルド型ワイヤレス内線端末装置１０１Ｈを電波で無線ＬＡＮルータ３２に結合させて、社内又は社外の人と通話を行うことができる。
【００２８】
したがって、図３の内線電話システムは、グローバルなインターネット内線システムと言える。
【００２９】
なお、本発明には外にも種々の変形例が含まれる。
【００３０】
例えば、図３においてルータ３０又は３１を無線ルータで置き換え、内線端末装置１００Ｃ〜１２８Ｃ又は２００Ｃ〜２３７Ｃを、図１の処理を行うプログラムがインストールされたハンドヘルド型無線端末で置き換えることにより、インターネット接続環境にあればどこでも通話できるローケーションフリーの無線内線システムを構成してもよい。
【００３１】
また、内線番号とスカイプ名とは規則的に対応付けられていればよく、スカイプ名の一部（上位部、中間部又は下位部等）と所定値との間で加算又は減算等の演算を行ったものを内線番号としてもよい。
【００３２】
さらに、内線番号を表示する替わりにこれと対応させたスカイプ名を表示させたり両者を表示させる構成であってもよい。
【図面の簡単な説明】
【００３３】
【図１】内線番号変換機能を備えたスカイプの、内線番号入力から発信までの処理を示す概略フローチャートである。
【図２】内線とスカイプ名との規則的に対応説明図である。
【図３】ＩＰネットワーク上のノード概略結合図である。
【図４】本発明の実施例１で用いられる内線端末装置ハードウエア概略構成を示すブロック図である。
【符号の説明】
【００３４】
１００Ｃ、１２８Ｃ、２００Ｃ、２３７Ｃ  内線端末装置
１０１Ｈ  ハンドヘルド型ワイヤレス内線端末装置
３０、３１  ルータ
３２  無線ＬＡＮルータ
１０  コンピュータ本体
１１  ＣＰＵ
１２  インターフェイス
１３  メモリ
１４  ＨＤＤ
１５  ＮＩＣ
１６  ＣＯＤＥＣ
１７  マイク
１８  スピーカ
２０  入力装置
２１  表示装置
【図１】
2008153759.tif 000003
【図２】
2008153759.tif 000004
【図３】
2008153759.tif 000005
【図４】
2008153759.tif 000006